(57)【要約】【課題】グリル庫内の清掃が容易で、且つ受け台がグリル庫内から勝手に飛び出すのを防止できるグリルを提供する。【解決手段】グリル庫内において、レール機構は、受け台を保持する枠部４８を前後方向に移動させる。枠部４８の後部には、位置決め板７０が設けられる。受け台がグリル庫内に収納された時、位置決め板７０は、グリル庫の後部に設けられた収納部２３に収納される。収納部２３には、被係止バネ２９が設けられる。枠部４８をグリル庫内に向けて移動すると、被係止バネ２９が位置決め板７０の球状突起部７３に当接して弾性変形しながら乗り越える。受け台がグリル庫内に収納される時、被係止バネ２９が元の形状に復帰する途中の状態で、レール機構による枠部４８の移動が停止され、グリル開口がグリル扉で閉じられる。被係止バネ２９は、球状突起部７３を介して枠部４８をグリル庫の奥側に付勢する。【選択図】図５
2020182616.tif 000002
【特許請求の範囲】
【請求項１】
被調理物を加熱するためのグリル庫と、前記グリル庫内に設けられ、前記被調理物が載置される受け台を保持する枠部を備え、当該枠部を前記グリル庫の前後方向にスライド移動させるスライド機構と、前記グリル庫の前面の開口を開閉する扉とを備え、前記枠部を前記グリル庫内に向けてスライド移動させ、前記受け台が前記グリル庫内に収納されたときに、前記グリル庫の前記開口が前記扉で閉じられるグリルであって、
前記グリル庫の後部に設けられ、前記グリル庫内の燃焼排気を外部に排出する為の筒状のダクト部と、
前記枠部の後部に設けられた係止部と、
前記グリル庫内で、且つ前記ダクト部の下方に設けられ、前記受け台が前記グリル庫内に収納されたときに、前記係止部を内側に収納する収納部と、
前記収納部に設けられ、前記係止部に対して上方から係止可能な被係止部と
を備え、
前記係止部と前記被係止部のうち一方は、他方に向かって突出する突出部であって、前記他方は、上下方向に弾性変形可能であって、前記突出部に対して係止可能な弾性係止部であって、
前記枠部を前記グリル庫内に向かってスライド移動させた場合、前記弾性係止部が前記突出部に当接して弾性変形しながら前記突出部を乗り越え、前記受け台が前記グリル庫内に収納されるときに、前記弾性係止部が元の形状に復帰する途中の状態で、前記スライド機構による前記枠部のスライド移動が停止され、前記開口が前記扉で閉じられること
を特徴とするグリル。
【請求項２】
前記弾性係止部は、前記一方に向かって側面視略Ｖ字状に折り曲げられた折り曲げ部を備え、前記折り曲げ部を介して、前記グリル庫の前後方向の前側にある前方接触面と、後側にある後方接触面とが互いに連接された板バネであって、
前記枠部を前記グリル庫内に向かってスライド移動させた場合、前記突出部が前記板バネの前記前方接触面を摺動し、これに伴って前記板バネが弾性変形し、さらに前記突出部が前記折り曲げ部を乗り越えて前記後方接触面を摺動し、且つ前記板バネが元の形状に復帰する途中の状態で、前記スライド機構による前記枠部のスライド移動が停止され、前記受け台が前記グリル庫内に収納されると同時に、前記開口が前記扉で閉じられること
を特徴とする請求項１に記載のグリル。
【請求項３】
前記突出部は、前記枠部の前記後部から後方に延びる平板部の上面に設けられ、前記他方に向かって略半球状に突出すること
を特徴とする請求項１又は２に記載のグリル。
【請求項４】
前記平板部の後端部には、斜め下方に向かって屈曲する屈曲部が設けられたこと
を特徴とする請求項３に記載のグリル。
【請求項５】
前記平板部の後端部の左右の両角部には、円弧状のテーパ部が設けられたこと
を特徴とする請求項３又は４に記載のグリル。
【請求項６】
前記突出部は、前記枠部の前記後部に設けられた前記係止部であって、
前記弾性係止部は、前記収納部の上面に設けられた前記被係止部であること
を特徴とする請求項１から５の何れかに記載のグリル。
【発明の詳細な説明】
【技術分野】
【０００１】
本発明は、グリルに関する。
【背景技術】
【０００２】
従来、被調理物を加熱するためのグリル庫と、当該グリル庫内に収納され、前記被調理物を載置する焼き網を備えた受け皿と、当該受け皿を支持する保持枠と、当該保持枠を前記グリル庫の前後方向にスライド移動させるスライド機構と、前記グリル庫の前面の開口を開閉する扉とを備え、前記保持枠を前記グリル庫内に向けてスライド移動させ、前記受け皿が前記グリル庫内に収納された際に、前記グリル庫の前記開口が前記扉で閉じられるグリルが知られている（例えば、特許文献１参照）。
【０００３】
グリル庫内の底面には、上方に向けて突出する第１突起部が設けられ、保持枠には、第１突起部に対して係止する弾性係止部が設けられる。弾性係止部が第１突起部に当接して弾性変形しながら第１突起部を乗り越え、受け皿がグリル庫内に収納される際に、弾性係止部が元の形状に復帰する途中の状態で、スライド機構による保持枠のスライド移動が停止され、開口が扉で閉じられる。
【先行技術文献】
【特許文献】
【０００４】
【特許文献１】特開２０１１−７４２９号公報
【発明の概要】
【発明が解決しようとする課題】
【０００５】
特許文献１に記載のグリルでは、グリル庫内の底面に、第１突起部が設けられるので、グリル庫内を清掃する際、第一突起部に手が触れてしまい、拭き掃除や、掃き掃除等、清掃し難いという問題点があった。また、第一突起部に手が触れたことによって、第一突起部が変形してしまうと、弾性係止部が第一突起部に対して良好に係止できず、扉が開いて受け台が勝手に飛び出してしまう可能性もあった。
【０００６】
本発明の目的は、グリル庫内の清掃が容易で、且つ受け台がグリル庫内から勝手に飛び出すのを防止できるグリルを提供することである。
【課題を解決するための手段】
【０００７】
請求項１のグリルは、被調理物を加熱するためのグリル庫と、前記グリル庫内に設けられ、前記被調理物が載置される受け台を保持する枠部を備え、当該枠部を前記グリル庫の前後方向にスライド移動させるスライド機構と、前記グリル庫の前面の開口を開閉する扉とを備え、前記枠部を前記グリル庫内に向けてスライド移動させ、前記受け台が前記グリル庫内に収納されたときに、前記グリル庫の前記開口が前記扉で閉じられるグリルであって、前記グリル庫の後部に設けられ、前記グリル庫内の燃焼排気を外部に排出する為の筒状のダクト部と、前記枠部の後部に設けられた係止部と、前記グリル庫内で、且つ前記ダクト部の下方に設けられ、前記受け台が前記グリル庫内に収納されたときに、前記係止部を内側に収納する収納部と、前記収納部に設けられ、前記係止部に対して上方から係止可能な被係止部とを備え、前記係止部と前記被係止部のうち一方は、他方に向かって突出する突出部であって、前記他方は、上下方向に弾性変形可能であって、前記突出部に対して係止可能な弾性係止部であって、前記枠部を前記グリル庫内に向かってスライド移動させた場合、前記弾性係止部が前記突出部に当接して弾性変形しながら前記突出部を乗り越え、前記受け台が前記グリル庫内に収納されるときに、前記弾性係止部が元の形状に復帰する途中の状態で、前記スライド機構による前記枠部のスライド移動が停止され、前記開口が前記扉で閉じられること
を特徴とする
【０００８】
請求項２のグリルの前記弾性係止部は、前記一方に向かって側面視略Ｖ字状に折り曲げられた折り曲げ部を備え、前記折り曲げ部を介して、前記グリル庫の前後方向の前側にある前方接触面と、後側にある後方接触面とが互いに連接された板バネであって、前記枠部を前記グリル庫内に向かってスライド移動させた場合、前記突出部が前記板バネの前記前方接触面を摺動し、これに伴って前記板バネが弾性変形し、さらに前記突出部が前記折り曲げ部を乗り越えて前記後方接触面を摺動し、且つ前記板バネが元の形状に復帰する途中の状態で、前記スライド機構による前記枠部のスライド移動が停止され、前記受け台が前記グリル庫内に収納されると同時に、前記開口が前記扉で閉じられるとよい。
【０００９】
請求項３のグリルの前記突出部は、前記枠部の前記後部から後方に延びる平板部の上面に設けられ、前記他方に向かって略半球状に突出するとよい。
【００１０】
請求項４のグリルの前記平板部の後端部には、斜め下方に向かって屈曲する屈曲部が設けられるとよい。
【００１１】
請求項５のグリルの前記平板部の後端部の左右の両角部には、円弧状のテーパ部が設けられるとよい。
【００１２】
請求項６のグリルの前記突出部は、前記枠部の前記後部に設けられた前記係止部であって、前記弾性係止部は、前記収納部の上面に設けられた前記被係止部であるとよい。
【発明の効果】
【００１３】
請求項１のグリルによれば、受け台を支持する枠部を、スライド機構によってグリル庫の前後方向にスライド移動させることによって、受け台をグリル庫内に収納する。受け台がグリル庫内に収納されると、グリル庫の開口が扉で閉じられる。ここで、枠部をグリル庫内に向かってスライド移動させた場合、弾性係止部は突出部に当接して弾性変形しながら突出部を乗り越える。そして、受け台が前記グリル庫内に収納されるときに、弾性係止部が元の形状に復帰する途中の状態で、スライド機構による枠部のスライド移動が停止され、開口が前記扉で閉じられる。つまり、突出部を乗り越えた後においても、突出部と当接する弾性係止部の復元力が突出部の反対方向、すなわち、枠部がグリル庫内に向かって押し込む方向に作用するので、開口を扉で確実に閉じることができ、枠部に保持された受け台がスライド機構によって前方に勝手に飛び出すのを防止できる。また、係止部又は被係止部がグリル庫の底面に設けられないので、グリル庫内の清掃が容易になる。また、被係止部は、グリル庫の奥側に配置されるので、使用者が被係止部に手で触れるのを防止できる。また、被係止部は、ダクト部の下方に位置する収納部の上面に設けられる。グリル庫内からの油煙は、ダクト部に引き寄せられるので、収納部への回り込みを防止できる。これにより、収納部の上面に設けられた被係止部が油煙で汚れるのを防止できるので、係止部との係止を良好に維持できる。
【００１４】
請求項２のグリルによれば、枠部をグリル庫内に向けてスライド移動させた場合、突出部が板バネの前方接触面を摺動し、これに伴って板バネが弾性変形する。次いで、突出部が折り曲げ部を乗り越えて後方接触面を摺動する。そして、板バネが元の形状に復帰する前の状態で、枠部が位置決めされ、受け台がグリル庫内に収納されるようになっている。ここで、弾性係止部の後方接触面に突出部が接触し、且つ板バネが元の形状に復帰する前の状態では、板バネの弾性復帰力によって突出部がグリル庫の後方に付勢される。つまり、突出部を介して枠部がグリル庫内の奥側に向けて付勢される。よって、枠部がグリル庫内に向かって押し込まれた状態となり、扉も開口を閉じる方向に押し込まれるので、開口を扉で確実に閉じることができる。さらに、枠部に保持された受け台がレール機構によって勝手に飛び出すのを防止できる。
【００１５】
請求項３のグリルによれば、突出部は略半球状に突出する形状を備えるので、弾性係止部に対して点接触できる。これにより、突出部が弾性係止部に対して摺動する際の摩擦抵抗を軽減できるので、受け台のスライド移動を良好にできる。また、枠部をグリル庫内に向けてスライド移動させた場合、弾性係止部は、平板部の上面を摺動してから突出部を摺動する。即ち、弾性係止部は、平板部の上面から突出部に向けて良好にガイドされるので、弾性係止部を徐々に変形させることができる。これにより、受け台をグリル庫内に向けてスライド移動する際に、扉が急激に重くなるのを防止できる。
【００１６】
請求項４のグリルによれば、枠部をグリル庫内に向けてスライド移動させた場合、突出部のうち平板部の後端部が弾性係止部と接触するが、平板部の後端部には屈曲部が設けられ、その屈曲部が弾性係止部と接触するので、弾性係止部が傷付くのを防止できる。
【００１７】
請求項５のグリルによれば、平板部の後端部の両角部は円弧状であるので、突出部の軽量化を図ることができる。これにより、受け台のスライド移動を良好にできる。
【００１８】
請求項６のグリルによれば、弾性係止部が油煙で汚れるのを防止できるので、突出部との係止を良好に維持できる。
【図面の簡単な説明】
【００１９】
【図１】コンロ１の斜視図である。
【図２】グリル庫１０の分解斜視図である。
【図３】レール機構４０を取り外した下ケース１１の斜視図である。
【図４】レール機構４０の斜視図である。
【図５】下ケース１１内におけるレール機構４０の後端側周囲の断面斜視図である。
【図６】枠部のスライド移動で、被係止バネ２９が位置決め板７０の球状突起部７３に接触して弾性変形する状態を示した図である。
【図７】位置決め板１７０（変形例）の平面図である。
【発明を実施するための形態】
【００２０】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。以下説明は、図中に矢印で示す左右、前後、上下を使用する。
【００２１】
図１を参照し、コンロ１の構造を説明する。コンロ１は、ビルトインコンロである。コンロ１は上部が開口する筐体２を備える。筐体２内の中央部には、グリル庫１０（図２参照）が設けられる。筐体２の上部には、天板３が固定される。天板３の右手前には右バーナ４、左手前には左バーナ５、中央奥側には奥バーナ６が設けられる。奥バーナ６の後方には、排気口７が設けられる。排気口７は、グリル庫１０内と連通する。筐体２の前面の中央部には、グリル扉８が設けられる。グリル扉８は、後述するレール機構４０（図３参照）により、前後方向にスライド可能に設けられ、グリル庫１０の前側のグリル開口（図示略）を開閉する。
【００２２】
図２、図３に示すように、レール機構４０はグリル庫１０内に取り付けられる。レール機構４０は、平面視略矩形状の枠部４８を備え、前後方向に移動可能に支持する。枠部４８の前部には、グリル扉８の背面側下部が着脱自在に取り付けられる。枠部４８には、図示しない受け台（焼き網等）を取り付け可能である。使用者は、取手９でグリル扉８を手前側に引き出すと、レール機構４０の伸長動作によって、受け台に載置された被調理物をグリル庫１０内から外部に取り出すことができる。
【００２３】
図２を参照し、グリル庫１０の構造を説明する。グリル庫１０は、下ケース１１と上ケース１２を備える。下ケース１１は、上面と前面が夫々開放された略直方体状の筐体である。上ケース１２は、下面と前面が夫々開放された略直方体状の筐体である。上ケース１２には、遮熱板１３が上方から取り付けられる。上ケース１２の天壁下面には、上火バーナ（図示略）が設けられる。上ケース１２の後部には、筒状のダクト部１２１が設けられる。ダクト部１２１は、上ケース１２内と連通する。ダクト部１２１は、上ケース１２の後部から後方に対して斜め上方に延設され、その上端部には、グリル排気口１２２が設けられる。上ケース１２を下ケース１１の上部に螺子（図示略）で固定することにより、略直方体状のグリル庫１０が構成される。グリル庫１０の前面には、グリル開口（図示略）が設けられる。グリル排気口１２２は、天板３の排気口７（図１参照）の直下に配置される。よって、グリル庫１０内の燃焼排気は、ダクト部１２１を流れ、グリル排気口１２２及び排気口７を介して外部に排出される。
【００２４】
図３、図５を参照し、下ケース１１の構造を説明する。図３に示すように、下ケース１１は、底壁１５、左側壁１６、右側壁１７、背壁１８を備える。底壁１５の上面左側には左側取付部２４が設けられ、上面右側には右側取付部２５が設けられる。左側取付部２４には、レール機構４０の後述する左側レール構造体４１の取付部材５１がネジ止めされる。右側取付部２５には、レール機構４０の後述する右側レール構造体４２の取付部材６１がネジ止めされる。下ケース１１には、平面視略Ｕ字状の下火バーナ２０が設けられる。下火バーナ２０は、左側炎孔部２１と右側炎孔部（図示略）を備える。左側炎孔部２１と右側炎孔部は前後方向に延設され、互いに平行である。左側炎孔部２１は、左側壁１６の内面に設けられ、その直上には、バーナカバー２１Ａが取り付けられる。右側炎孔部は、右側壁１７の内面に設けられ、その直上には、バーナカバー２２Ａが取り付けられる。
【００２５】
背壁１８は、下ケース１１の後部に立設され、上面部１８１と前面部１８２を備える。上面部１８１と前面部１８２が互いに直交する角部において、長手方向の略中央部には、平面視略矩形状の傾斜部１９が設けられる。傾斜部１９は、後方から前方に向かって下り傾斜する。傾斜部１９は、上ケース１２のダクト部１２１（図２参照）の直下に配置される。傾斜部１９は、グリル庫１０内から流れる燃焼排気をダクト部１２１に向けてガイドする。前面部１８２の下側には、収納部２３が設けられる。図５に示すように、収納部２３は断面視略逆Ｌ字状に形成され、後方延設部１８３と垂直延設部１８４を備える。後方延設部１８３は、前面部１８２の下端部から後方に向けて略水平に延設される。垂直延設部１８４は、後方延設部１８３の後端部から下方に延設される。これにより、収納部２３には、後方に凹んだ収納空間が形成される。
【００２６】
図５に示すように、後方延設部１８３の下面の後端側であって、左右方向の略中央部には、被係止バネ２９がネジ９１で固定される。被係止バネ２９は、金属製の板バネであって、平面視前後方向に長い略矩形状に形成される。被係止バネ２９は、折曲部２９１、前方接触部２９２、後方接触部２９３、固定部２９４等を備える。折曲部２９１は、被係止バネ２９の前後方向中央部よりもやや前側に設けられ、下方に向かって側面視略Ｖ字状に折り曲げられた部位である。前方接触部２９２は、折曲部２９１の前側に設けられ、前端部から後端部にかけて下り傾斜する部位である。なお、前方接触部２９２の前端は、内側に折り畳んで丸めるのがよい（図６参照）。これにより、前方接触部２９２の前端部が、後述する位置決め板７０の表面に接触しても、位置決め板７０の表面が傷付くのを防止できる。後方接触部２９３は折曲部２９１の後側に設けられ、前端部から後端部にかけて上り傾斜する。よって、前方接触部２９２と後方接触部２９３は、折曲部２９１を介して互いに接続し、側面視略Ｖ字状に形成される。
【００２７】
固定部２９４は、後方接触部２９３の後端部から後方且つ略水平に延設され、その略中央部には、上下方向に貫通する固定穴（図示略）が設けられる。固定部２９４の上面は、収納部２３の後方延設部１８３の下面に接触し、固定穴を介してネジ９１で固定される。これにより、被係止バネ２９は、前方接触部２９２と折曲部２９１を前側に向けた状態で、後方延設部１８３の下面に固定される。被係止バネ２９の折曲部２９１は下方に向かって突出し、前方接触部２９２の前端部は、後方延設部１８３の下面から下方に離間して配置される。
【００２８】
図３〜図５を参照し、レール機構４０の構造を説明する。レール機構４０は、下ケース１１の底壁１５の上面にネジ止めされる。図３に示すように、レール機構４０は、左側レール構造体４１、右側レール構造体４２、前側連結材４３、後側連結材４４を備え、平面視略矩形枠状に形成される。左側レール構造体４１と右側レール構造体４２は、左右方向に互いに離間して対向配置され、夫々前後方向に伸縮自在である（図４参照）。
【００２９】
前側連結材４３は、左右方向に長い断面Ｌ字状の板金である。前側連結材４３は、右側レール構造体４２の上面前部と、左側レール構造体４１の上面前部との間に水平に渡され、その長手方向の両端部がネジで夫々固定される。前側連結材４３の垂直に立つ部位には、グリル扉８（図１参照）の背面下部が着脱可能に取り付けられる。
【００３０】
後側連結材４４は、左右方向に長い板金であって、右側レール構造体４２の上面後部と、左側レール構造体４１の上面後部との間に水平に渡され、その長手方向の両端部がネジで夫々固定される。前側連結材４３と後側連結材４４は互いに平行である。後側連結材４４の背面における左右方向中央部には、位置決め板７０が後方に突出して設けられる。
【００３１】
図５に示すように、位置決め板７０は、固定部７１、平板部７２、球状突起部７３を備え、側面視略逆Ｌ字状に形成される。固定部７１は正面視略矩形状に形成され、後側連結材４４の背面にネジ９３で固定される。平板部７２は、固定部７１の上端部から後方に屈曲して延設され、平面視略矩形状に形成される。平板部７２の高さは、枠部４８の後側連結材４４の高さと略同一である。平板部７２の後端部には、屈曲部７２１が設けられる。屈曲部７２１は、斜め下方に向かって屈曲する。球状突起部７３は、平板部７２の上面の略中央部に設けられ、上方に向かって略半球状に突出する。後述するように、位置決め板７０は、下ケース１１の被係止バネ２９に係止することにより、枠部４８の位置決めを行う。
【００３２】
また、後側連結材４４の背面下部における左右方向略中央部であって、位置決め板７０の直下には、後方に向かって突出する当接板７５が設けられる。受け台がグリル庫１０内に収納されたとき、当接板７５の後端部は、底壁１５の後端部から上方に延びる上方延設部１５１の前面に当接する。なお、上方延設部１５１の前面上側部は、背壁１８の収納部２３の垂直延設部１８４の背面下部に接触して固定される。
【００３３】
図４に示すように、左側レール構造体４１は、取付部材５１、伸縮部材５２、カバー部材５３を備える。取付部材５１は、前後方向に延びる断面略Ｌ字状の板金である。取付部材５１は、平板部５１Ａと支持部（図示略）を備える。平板部５１Ａは平面視長方形状であり、下ケース１１の左側取付部２４に位置決めしてネジ止めされる。支持部は、平板部５１Ａの左端部に沿って垂直に立設された左側面視略略長形状であって、伸縮部材５２を支持する。
【００３４】
伸縮部材５２の構造を説明する。伸縮部材５２は、レール機構４０の外方から内方に向かって順に、固定レール５２Ａ、第１可動レール５２Ｂ、第２可動レール５２Ｃ、第３可動レール５２Ｄを備える。固定レール５２Ａは、取付部材５１の支持部の右側面に固定される。第１可動レール５２Ｂは、固定レール５２Ａの長手方向に沿ってスライド可能に支持される。第２可動レール５２Ｃは、第１可動レール５２Ｂの長手方向に沿ってスライド可能に支持される。第３可動レール５２Ｄは、第２可動レール５２Ｃの長手方向に沿ってスライド可能に支持される。上記構造により、固定レール５２Ａの位置を基準として、第１可動レール５２Ｂ、第２可動レール５２Ｃ、及び第３可動レール５２Ｄは夫々前後方向にスライド移動するので、伸縮部材５２は、自身の長手方向に沿って伸縮できる。カバー部材５３は、第３可動レール５２Ｄに固定され、伸縮部材５２を内側に収容可能な内部空間を備える。カバー部材５３は、伸縮部材５２が最も縮んだとき（固定レール５２Ａに対して、第１可動レール５２Ｂ、第２可動レール５２Ｃ、第３可動レール５２Ｄが左右方向に全て重なったとき）、伸縮部材５２を内側に収容する（図３参照）。
【００３５】
なお、詳述しないが、右側レール構造体４２の構造は、左側レール構造体４１の構造と左右対称である。右側レール構造体４２は、左側レール構造体４１と同様に、取付部材６１、伸縮部材６２、カバー部材６３を備える。取付部材６１は、前後方向に延びる断面略Ｌ字状の板金であり、平板部６１Ａと支持部６１Ｂを備える。平板部６１Ａは、下ケース１１の右側取付部２５に位置決めしてネジ止めされる。支持部６１Ｂは、平板部６１Ａの右端部に沿って垂直に立設された左側面視略略長形状であって、伸縮部材６２を支持する。伸縮部材６２は、伸縮部材５２と同様に、レール機構４０の外方から内方に向かって順に、固定レール６２Ａ、第１可動レール６２Ｂ、第２可動レール６２Ｃ、第３可動レール（図示略）を備える。
【００３６】
レール機構４０は、上記の左側レール構造体４１のカバー部材５３、右側レール構造体４２のカバー部材６３、前側連結材４３、後側連結材４４によって、平面視略矩形状の枠部４８を構成する。枠部４８には、上方から受け台が着脱可能に装着される。よって、受け台は、左側レール構造体４１と右側レール構造体４２の伸縮動作によって、レール機構４０の前後方向に移動可能となる。
【００３７】
図５、図６を参照し、受け台をグリル庫１０内に収納するときの被係止バネ２９と位置決め板７０による受け台の位置決め動作を説明する。例えば、受け台がグリル庫１０のグリル開口から前方に引き出された状態で、使用者は、グリル扉８をグリル開口に向けて押し込む。受け台を支持する枠部４８は、グリル扉８と共にレール機構４０によって、後方にスライド移動する。枠部４８の後側連結材４４に設けられた位置決め板７０は、グリル庫１０の奥側に向けてスライド移動する。
【００３８】
被係止バネ２９の前方接触部２９２に対して、位置決め板７０の平板部７２の後端部が接触する。ここで、平板部７２の後端部には屈曲部７２１が設けられているので、前方接触部２９２に対して、屈曲部７２１の上面が接触する。これにより、平板部７２の後端部が被係止バネ２９の前方接触部２９２に勢いよく当たった場合でも、そのときの衝撃を緩和でき、前方接触部２９２が傷付くのを防止できる。位置決め板７０が後方にさらに移動すると、前方接触部２９２は屈曲部７２１の上面を摺動する。これに伴い、被係止バネ２９は上方に押し上げられ、弾性変形する。これにより、屈曲部７２１の上面に対して、被係止バネ２９の折曲部２９１が接触する。
【００３９】
被係止バネ２９の折曲部２９１が、位置決め板７０の屈曲部７２１の上面を乗り越えると、平板部７２の上面を摺動し、その後、球状突起部７３と接触する（図６（Ａ）参照）。即ち、折曲部２９１は、平板部７２の上面から球状突起部７３に向けて良好にガイドされるので、被係止バネ２９を徐々に変形させることができる。これにより、受け台をグリル庫１０内に向けてスライド移動する際に、グリル扉８が急激に重くなるのを防止できる。また、球状突起部７３は球面であるので、折曲部２９１に対して点接触できる。これにより、折曲部２９１が球状突起部７３に対して摺動する際の摩擦抵抗を軽減できるので、受け台のスライド移動を良好にできる。さらに、球状突起部７３は球面であるので、折曲部２９１が球状突起部７３に傾斜して当接しても、その傾斜のずれを吸収できる。これにより、折曲部２９１が球状突起部７３を摺動する際の摩擦が緩和される。そして、位置決め板７０が後方にさらに移動すると、図６（Ｂ）に示すように、被係止バネ２９は、球状突起部７３によってさらに上方に押し上げられる。
【００４０】
位置決め板７０が後方にさらに移動し、折曲部２９１が球状突起部７３の頂上部を越えると、球状突起部７３の前側の球面に対して、後方接触部２９３が接触して摺動する。これに伴い、被係止バネ２９は元の形状に徐々に復帰する。そして、後方接触部２９３が球状突起部７３の球面を下り終える前に、後側連結材４４の背面下部に設けられた当接板７５の後端部が、底壁１５の後端部から上方に延びる上方延設部１５１の前面に当接する（図５参照）。このとき、受け台が位置決めされ、グリル開口はグリル扉８によって閉じられるが、図６（３）に示すように、被係止バネ２９は元の形状に復帰していない。この状態では、被係止バネ２９には球状突起部７３を遠ざけようとする力Ｆが依然働いている。つまり、球状突起部７３と当接する被係止バネ２９の復元力が、枠部４８がグリル庫１０内に向かって押し込む方向に作用する。これにより、枠部４８はグリル庫１０の奥側に押しつけられた状態となっている。
【００４１】
さらに、後方接触部２９３が球状突起部７３の球面に接触した状態で止まるため、被係止バネ２９は球状突起部７３に係止した状態となる。これにより、グリル扉８の位置が確実に保持されるので、グリル開口はグリル扉８によって密着して確実に閉じられる。さらに、受け台がグリル庫１０外に勝手に移動してしまうのを防止できるので、密閉性の高い安全なグリル庫１０を提供できる。
【００４２】
また、グリル庫１０のグリル開口がグリル扉８によって閉じられたとき、被係止バネ２９は、グリル庫１０の奥側の収納部２３に収納される。この状態では、グリル庫１０からの燃焼排気は、グリル庫１０内を後方に流れ、傾斜部１９に沿って斜め上方に流れることによってダクト部１２１に向けて案内される、これにより、燃焼排気に含まれる油煙等は、収納部２３に入り込まないので、被係止バネ２９が油煙で汚れるのを防止できる。よって、位置決め板７０との係止を良好に維持できる。
【００４３】
なお、受け台をグリル庫１０外に引き出す場合、上記の動作の流れとは反対の動作が行われる。取手９を手前に引くことによって、被係止バネ２９が球状突起部７３を手前側に乗り越える。このとき、枠部４８の位置決めのロックが解除されるので、受け台がレール機構４０によってグリル庫１０外に引き出される。
【００４４】
上記実施形態において、枠部４８の位置決めを行う被係止バネ２９は、下ケース１１の底壁１５の上面ではなく、下ケース１１の背壁１８の下部に設けられた収納部２３に固定されているので、グリル庫１０内の清掃を容易に行うことができる。
【００４５】
以上説明したように、本実施形態のコンロ１のグリルは、グリル庫１０を備える。グリル庫１０内には、レール機構４０が設けられる。レール機構４０は、受け台を保持する枠部４８を前後方向にスライド移動させる。枠部４８をグリル庫１０内に向けてスライド移動させ、受け台がグリル庫１０内に収納されたときに、グリル庫１０のグリル開口がグリル扉８で閉じられる。このようなグリルにおいて、グリル庫１０の後部には、筒状のダクト部１２１が設けられる。枠部４８の後部には、位置決め板７０が設けられる。グリル庫１０内で、ダクト部１２１の下方には、収納部２３が設けられる。受け台がグリル庫１０内に収納されたときに、位置決め板７０は収納部２３に収納される。収納部２３には、被係止バネ２９が設けられる。被係止バネ２９は、位置決め板７０に対して上方から係止可能である。位置決め板７０は、球状突起部７３を備える。被係止バネ２９は、上下方向に弾性変形可能であって、球状突起部７３に対して上方から係止可能である。
【００４６】
枠部４８をグリル庫１０内に向かってスライド移動させた場合、被係止バネ２９は、球状突起部７３に当接して弾性変形しながら乗り越える。受け台がグリル庫１０内に収納されるときに、被係止バネ２９が元の形状に復帰する途中の状態で、レール機構４０による枠部４８のスライド移動が停止され、グリル開口がグリル扉８で閉じられる。
【００４７】
つまり、球状突起部７３を乗り越えた後においても、球状突起部７３と当接する被係止バネ２９の復元力が球状突起部７３側とは反対方向、すなわち、枠部４８がグリル庫１０内に向かって押し込む方向に作用するので、グリル開口をグリル扉８で確実に閉じることができ、枠部４８に保持された受け台がレール機構４０によって前方に勝手に飛び出すのを防止できる。また、被係止バネ２９又は位置決め板７０がグリル庫１０の底面に設けられないので、グリル庫１０内の清掃が容易になる。また、被係止バネ２９は、グリル庫１０の奥側に配置されるので、使用者が被係止バネ２９に手で触れるのを防止できる。また、被係止バネ２９は、ダクト部１２１の下方に位置する収納部２３の上面に設けられる。グリル庫１０内からの油煙は、ダクト部１２１に引き寄せられるので、収納部２３への回り込みを防止できる。これにより、収納部２３の上面に設けられた被係止バネ２９が油煙で汚れるのを防止できるので、位置決め板７０の球状突起部７３との係止を良好に維持できる。
【００４８】
上記説明において、グリル扉８は本発明の「扉」の一例である。レール機構４０は本発明の「スライド機構」の一例である。被係止バネ２９は本発明の「被係止部」、「弾性係止部」の一例である。位置決め板７０の球状突起部７３は本発明の「係止部」、「突出部」の一例である。
【００４９】
なお、本発明は上記実施形態に限定されるものではなく、種々の変更が可能である。上記実施形態のコンロ１はビルトインコンロであるが、テーブルコンロでもよい。上記実施形態は、グリル庫１０を備えたコンロ１を本発明の一例として説明したが、例えば、グリル庫のみを備えた加熱調理器にも適用可能である。
【００５０】
上記実施形態の位置決め板７０（図４、図５参照）は、平面視略矩形状に形成され、平板部７２の後端部には、屈曲部７２１が設けられるが、例えば、図７に示す位置決め板１７０のように、屈曲部７２１の左右の両角部を円弧状に切断してテーパ部７４を形成してもよい。これにより、位置決め板７０の軽量化を図ることができるので、受け台のスライド移動を良好にできる。
【００５１】
上記実施形態のレール機構４０において、左側レール構造体４１の伸縮部材５２は、３本の第１可動レール５２Ｂ、第２可動レール５２Ｃ、第３可動レール５２Ｄを備えるが、可動レールの本数は１本、２本、又は３本以上であってもよい。右側レール構造体４２の伸縮部材６２も同様である。
【００５２】
上記実施形態の被係止バネ２９（例えば、後方接触部２９３）に貫通孔を設け、当該貫通孔の大きさ、形状等を変えることで、被係止バネ２９の弾性力を調節してもよい。
【００５３】
上記実施形態の位置決め板７０は、平板部７２の上面に球状突起部７３を備えるが、平板部７２の上面に山なり形状の突起部を設けてもよい。
【符号の説明】
【００５４】
１    コンロ
８    グリル扉
１０    グリル庫
２３    収納部
２９    被係止バネ
４０    レール機構
４８    枠部
７０、１７０    位置決め板
７２    平板部
７３    球状突起部
７４    テーパ部
１２１    ダクト部
２９１    折曲部
２９２    前方接触部
２９３    後方接触部
７２１    屈曲部
【図１】
2020182616.tif 000003
【図２】
2020182616.tif 000004
【図３】
2020182616.tif 000005
【図４】
2020182616.tif 000006
【図５】
2020182616.tif 000007
【図６】
2020182616.tif 000008
【図７】
2020182616.tif 000009